(57)【要約】  本開示の一態様に係るユーザ端末は、複数の非周期チャネル状態情報参照信号（ＡＰ  ＣＳＩ−ＲＳ：Aperiodic  Channel  State  Information-Reference  Signal）を受信する受信部と、各ＡＰ  ＣＳＩ−ＲＳについて、対応する下り制御情報の受信と当該ＡＰ  ＣＳＩ−ＲＳの受信との間の時間オフセットが所定の閾値より小さい場合に、当該ＡＰ  ＣＳＩ−ＲＳのデフォルトのＱＣＬ（Quasi-Co-Location）想定を、所定のパネルＩＤ（Identifier）の特定の信号又はチャネルに基づいて決定する制御部と、を有することを特徴とする。本開示の一態様によれば、マルチパネル／ＴＲＰを用いる場合であってもＤＬ通信を好適に実施できる。
2020090060.tif 000002
【特許請求の範囲】
【請求項１】
複数の非周期チャネル状態情報参照信号（ＡＰ  ＣＳＩ−ＲＳ：Aperiodic  Channel  State  Information-Reference  Signal）を受信する受信部と、
各ＡＰ  ＣＳＩ−ＲＳについて、対応する下り制御情報の受信と当該ＡＰ  ＣＳＩ−ＲＳの受信との間の時間オフセットが所定の閾値より小さい場合に、当該ＡＰ  ＣＳＩ−ＲＳのデフォルトのＱＣＬ（Quasi-Co-Location）想定を、所定のパネルＩＤ（Identifier）の特定の信号又はチャネルに基づいて決定する制御部と、を有することを特徴とするユーザ端末。
【請求項２】
前記所定のパネルＩＤは、最小又は最大のパネルＩＤであることを特徴とする請求項１に記載のユーザ端末。
【請求項３】
前記所定のパネルＩＤは、対応する関連パネルＩＤであることを特徴とする請求項１に記載のユーザ端末。
【請求項４】
前記制御部は、前記所定のパネルＩＤの前記ＡＰ  ＣＳＩ−ＲＳと同じシンボルにおいてＰＤＳＣＨ（Physical  Downlink  Shared  Channel）が送信されず他の下り信号が送信される場合に、前記ＡＰ  ＣＳＩ−ＲＳのデフォルトのＱＣＬ想定を、前記所定のパネルＩＤの当該他の下り信号に基づいて決定することを特徴とする請求項１から請求項３のいずれかに記載のユーザ端末。
【請求項５】
前記制御部は、前記ＡＰ  ＣＳＩ−ＲＳのデフォルトのＱＣＬ想定を、前記ＡＰ  ＣＳＩ−ＲＳをスケジューリングする前記下り制御情報を受信するＣＯＲＥＳＥＴ（COntrol  REsource  SET）に基づいて決定することを特徴とする請求項１から請求項３のいずれかに記載のユーザ端末。
【請求項６】
複数の非周期チャネル状態情報参照信号（ＡＰ  ＣＳＩ−ＲＳ：Aperiodic  Channel  State  Information-Reference  Signal）を受信するステップと、
各ＡＰ  ＣＳＩ−ＲＳについて、対応する下り制御情報の受信と当該ＡＰ  ＣＳＩ−ＲＳの受信との間の時間オフセットが所定の閾値より小さい場合に、当該ＡＰ  ＣＳＩ−ＲＳのデフォルトのＱＣＬ（Quasi-Co-Location）想定を、所定のパネルＩＤ（Identifier）の特定の信号又はチャネルに基づいて決定するステップと、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（例えば、ＮＲ）では、ユーザ端末（ＵＥ：User  Equipment）は、信号及びチャネルの少なくとも一方（信号／チャネルと表現する）の疑似コロケーション（ＱＣＬ：Quasi-Co-Location）に関する情報に基づいて、当該信号／チャネルの受信処理（例えば、デマッピング、復調、復号、受信ビーム形成など）、送信処理（例えば、マッピング、変調、符号化、プリコーディング、送信ビーム形成など）を制御することが検討されている。【０００６】
ＮＲにおいては、ＵＥは、チャネル状態情報参照信号（ＣＳＩ−ＲＳ：Channel  State  Information  Reference  Signal）を用いてチャネル状態を測定し、チャネル状態情報（ＣＳＩ：Channel  State  Information）を基地局にフィードバック（報告）する。【０００７】
ＣＳＩのフィードバック方法として、非周期的なＣＳＩ（Ａ−ＣＳＩ：Aperiodic  CSI、ＡＰ−ＣＳＩ）報告が検討されている。ＡＰ−ＣＳＩ報告のために測定するＣＳＩ−ＲＳは、ＡＰ  ＣＳＩ−ＲＳ（又はＡ−ＣＳＩ−ＲＳ）（Aperiodic  CSI-RS）と呼ばれてもよい。【０００８】
また、ＮＲでは、１つ又は複数の送受信ポイント（ＴＲＰ：Transmission/Reception  Point）（マルチＴＲＰ）が、１つ又は複数のパネル（マルチパネル）を用いて、ＵＥに対してＤＬ送信（例えば、ＡＰ  ＣＳＩ−ＲＳ送信）を行うことが検討されている。【０００９】
しかしながら、これまでのＮＲ仕様においては、マルチパネル／ＴＲＰが考慮されていないため、マルチパネル／ＴＲＰが用いられる場合のＡＰ  ＣＳＩ−ＲＳのＱＣＬ想定を適切に制御できない。したがって、現状のＮＲ仕様に従う場合には、マルチパネル／ＴＲＰを用いる場合の空間ダイバーシチ利得、高ランク送信などが好適に実現できず、通信スループットの増大が抑制されるおそれがある。【００１０】
そこで、本開示は、マルチパネル／ＴＲＰを用いる場合であってもＤＬ通信を好適に実施できるユーザ端末及び無線通信方法を提供することを目的の１つとする。
【課題を解決するための手段】
【００１１】
本開示の一態様に係るユーザ端末は、複数の非周期チャネル状態情報参照信号（ＡＰ  ＣＳＩ−ＲＳ：Aperiodic  Channel  State  Information-Reference  Signal）を受信する受信部と、各ＡＰ  ＣＳＩ−ＲＳについて、対応する下り制御情報の受信と当該ＡＰ  ＣＳＩ−ＲＳの受信との間の時間オフセットが所定の閾値より小さい場合に、当該ＡＰ  ＣＳＩ−ＲＳのデフォルトのＱＣＬ（Quasi-Co-Location）想定を、所定のパネルＩＤ（Identifier）の特定の信号又はチャネルに基づいて決定する制御部と、を有することを特徴とする。
【発明の効果】
【００１２】
本開示の一態様によれば、マルチパネル／ＴＲＰを用いる場合であってもＤＬ通信を好適に実施できる。
【図面の簡単な説明】
【００１３】
【図１】図１は、ＰＤＳＣＨのＤＭＲＳポートのＱＣＬ想定の一例を示す図である。
【図２】図２Ａ及び２Ｂは、ＡＰ  ＣＳＩ−ＲＳのＱＣＬ想定の一例を示す図である。
【図３】図３Ａ−３Ｄは、マルチパネル／ＴＲＰシナリオの一例を示す図である。
【図４】図４は、マルチパネル／ＴＲＰが用いられる場合のＡＰ  ＣＳＩ−ＲＳのＱＣＬ想定の課題を示す図である。
【図５】図５Ａ及び５Ｂは、第１の実施形態におけるＡＰ  ＣＳＩ−ＲＳのＱＣＬ想定の一例を示す図である。
【図６】図６Ａ及び６Ｂは、第１の実施形態におけるＡＰ  ＣＳＩ−ＲＳのＱＣＬ想定の別の一例を示す図である。
【図７】図７Ａ及び７Ｂは、第１の実施形態におけるＡＰ  ＣＳＩ−ＲＳのＱＣＬ想定のさらに別の一例を示す図である。
【図８】図８は、第２の実施形態におけるＡＰ  ＣＳＩ−ＲＳのＱＣＬ想定の一例を示す図である。
【図９】図９は、第２の実施形態におけるＡＰ  ＣＳＩ−ＲＳのＱＣＬ想定の別の一例を示す図である。
【図１０】図１０は、第１及び第２の実施形態の組み合わせにおけるＡＰ  ＣＳＩ−ＲＳのＱＣＬ想定の一例を示す図である。
【図１１】図１１は、第１及び第２の実施形態の組み合わせにおけるＡＰ  ＣＳＩ−ＲＳのＱＣＬ想定の別の一例を示す図である。
【図１２】図１２は、ＡＰ  ＣＳＩ−ＲＳのアクティベーションに基づく制御の一例を示す図である。
【図１３】図１３は、ＡＰ  ＣＳＩ−ＲＳのＴＣＩ状態をアクティベートするための情報の一例を示す図である。
【図１４】図１４は、ＡＰ  ＣＳＩ−ＲＳのアクティベーションが制御される場合のＡＰ  ＣＳＩ−ＲＳのＱＣＬ想定の一例を示す図である。
【図１５】図１５は、一実施形態に係る無線通信システムの概略構成の一例を示す図である。
【図１６】図１６は、一実施形態に係る基地局の構成の一例を示す図である。
【図１７】図１７は、一実施形態に係るユーザ端末の構成の一例を示す図である。
【図１８】図１８は、一実施形態に係る基地局及びユーザ端末のハードウェア構成の一例を示す図である。
【発明を実施するための形態】
【００１４】
（ＱＣＬ／ＴＣＩ）
ＮＲでは、送信設定指示状態（ＴＣＩ状態（Transmission  Configuration  Indication  state））に基づいて、信号及びチャネルの少なくとも一方（信号／チャネルと表現する）の受信処理（例えば、受信、デマッピング、復調、復号の少なくとも１つ）を制御することが検討されている。
【００１５】
ここで、ＴＣＩ状態とは、信号／チャネルの疑似コロケーション（ＱＣＬ：Quasi-Co-Location）に関する情報であり、空間受信パラメータ、空間関係情報（spatial  relation  info）などとも呼ばれてもよい。ＴＣＩ状態は、チャネルごと又は信号ごとにＵＥに設定されてもよい。
【００１６】
ＱＣＬとは、信号／チャネルの統計的性質を示す指標である。例えば、ある信号／チャネルと他の信号／チャネルがＱＣＬの関係である場合、これらの異なる複数の信号／チャネル間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００１７】
なお、空間受信パラメータは、ＵＥの受信ビーム（例えば、受信アナログビーム）に対応してもよく、空間的ＱＣＬに基づいてビームが特定されてもよい。本開示におけるＱＣＬ（又はＱＣＬの少なくとも１つの要素）は、ｓＱＣＬ（spatial  QCL）で読み替えられてもよい。
【００１８】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド、
・ＱＣＬタイプＢ：ドップラーシフト及びドップラースプレッド、
・ＱＣＬタイプＣ：ドップラーシフト及び平均遅延、
・ＱＣＬタイプＤ：空間受信パラメータ。
【００１９】
所定のＣＯＲＥＳＥＴ、チャネル又は参照信号が、別のＣＯＲＥＳＥＴ、チャネル又は参照信号と特定のＱＣＬ（例えば、ＱＣＬタイプＤ）の関係にあるとＵＥが想定することは、ＱＣＬ想定（QCL  assumption）と呼ばれてもよい。
【００２０】
ＵＥは、信号／チャネルのＴＣＩ状態又はＱＣＬ想定に基づいて、当該信号／チャネルの送信ビーム（Ｔｘビーム）及び受信ビーム（Ｒｘビーム）の少なくとも１つを決定してもよい。
【００２１】
ＴＣＩ状態は、例えば、対象となるチャネル（又は当該チャネル用の参照信号（ＲＳ：Reference  Signal））と、別の信号（例えば、別の下り参照信号（ＤＬ−ＲＳ：Downlink  Reference  Signal））とのＱＣＬに関する情報であってもよい。ＴＣＩ状態は、上位レイヤシグナリング、物理レイヤシグナリング又はこれらの組み合わせによって設定（指示）されてもよい。
【００２２】
本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２３】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２４】
物理レイヤシグナリングは、例えば、下り制御情報（ＤＣＩ：Downlink  Control  Information）であってもよい。
【００２５】
ＴＣＩ状態が設定（指定）されるチャネルは、例えば、下り共有チャネル（ＰＤＳＣＨ：Physical  Downlink  Shared  Channel）、下り制御チャネル（ＰＤＣＣＨ：Physical  Downlink  Control  Channel）、上り共有チャネル（ＰＵＳＣＨ：Physical  Uplink  Shared  Channel）、上り制御チャネル（ＰＵＣＣＨ：Physical  Uplink  Control  Channel）の少なくとも１つであってもよい。
【００２６】
また、当該チャネルとＱＣＬ関係となるＲＳは、例えば、同期信号ブロック（ＳＳＢ：Synchronization  Signal  Block）、チャネル状態情報参照信号（ＣＳＩ−ＲＳ：Channel  State  Information  Reference  Signal）、測定用参照信号（ＳＲＳ：Sounding  Reference  Signal）の少なくとも１つであってもよい。
【００２７】
ＳＳＢは、プライマリ同期信号（ＰＳＳ：Primary  Synchronization  Signal）、セカンダリ同期信号（ＳＳＳ：Secondary  Synchronization  Signal）及びブロードキャストチャネル（ＰＢＣＨ：Physical  Broadcast  Channel）の少なくとも１つを含む信号ブロックである。ＳＳＢは、ＳＳ／ＰＢＣＨブロックと呼ばれてもよい。
【００２８】
上位レイヤシグナリングによって設定されるＴＣＩ状態の情報要素（ＲＲＣの「TCI-state  IE」）は、１つ又は複数のＱＣＬ情報（「QCL-Info」）を含んでもよい。ＱＣＬ情報は、ＱＣＬ関係となるＤＬ−ＲＳに関する情報（ＤＬ−ＲＳ関連情報）及びＱＣＬタイプを示す情報（ＱＣＬタイプ情報）の少なくとも１つを含んでもよい。ＤＬ−ＲＳ関連情報は、ＤＬ−ＲＳのインデックス（例えば、ＳＳＢインデックス、ノンゼロパワーＣＳＩ−ＲＳリソースＩＤ）、ＲＳが位置するセルのインデックス、ＲＳが位置するＢＷＰ（Bandwidth  Part）のインデックスなどの情報を含んでもよい。
【００２９】
＜ＰＤＣＣＨのためのＴＣＩ状態＞
ＰＤＣＣＨ（又はＰＤＣＣＨに関連するＤＭＲＳアンテナポート）及び所定のＤＬ−ＲＳとのＱＣＬに関する情報は、ＰＤＣＣＨのためのＴＣＩ状態などと呼ばれてもよい。
【００３０】
ＵＥは、ＵＥ固有のＰＤＣＣＨ（ＣＯＲＥＳＥＴ）のためのＴＣＩ状態を、上位レイヤシグナリングに基づいて判断してもよい。
【００３１】
本開示において、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００３２】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００３３】
例えば、ＵＥに対して、ＣＯＲＥＳＥＴごとに、１つ又は複数（Ｋ個）のＴＣＩ状態がＲＲＣシグナリング（ControlResourceSet情報要素）によって設定されてもよい。また、ＵＥは、各ＣＯＲＥＳＥＴについて、それぞれ１つ又は複数のＴＣＩ状態を、ＭＡＣ  ＣＥを用いてアクティベートしてもよい。当該ＭＡＣ  ＣＥは、ＵＥ固有ＰＤＣＣＨ用ＴＣＩ状態指示ＭＡＣ  ＣＥ（TCI  State  Indication  for  UE-specific  PDCCH  MAC  CE）と呼ばれてもよい。ＵＥは、ＣＯＲＥＳＥＴのモニタを、当該ＣＯＲＥＳＥＴに対応するアクティブなＴＣＩ状態に基づいて実施してもよい。
【００３４】
＜ＰＤＳＣＨのためのＴＣＩ状態＞
ＰＤＳＣＨ（又はＰＤＳＣＨに関連するＤＭＲＳアンテナポート）及び所定のＤＬ−ＲＳとのＱＣＬに関する情報は、ＰＤＳＣＨのためのＴＣＩ状態などと呼ばれてもよい。
【００３５】
ＵＥは、ＰＤＳＣＨ用のＭ（Ｍ≧１）個のＴＣＩ状態（Ｍ個のＰＤＳＣＨ用のＱＣＬ情報）を、上位レイヤシグナリングによって通知（設定）されてもよい。なお、ＵＥに設定されるＴＣＩ状態の数Ｍは、ＵＥ能力（UE  capability）及びＱＣＬタイプの少なくとも１つによって制限されてもよい。
【００３６】
ＰＤＳＣＨのスケジューリングに用いられる下り制御情報（ＤＣＩ：Downlink  Control  Information）は、当該ＰＤＳＣＨ用のＴＣＩ状態を示す所定のフィールド（例えば、ＴＣＩフィールド、ＴＣＩ状態フィールドなどと呼ばれてもよい）を含んでもよい。当該ＤＣＩは、１つのセルのＰＤＳＣＨのスケジューリングに用いられてもよく、例えば、ＤＬ  ＤＣＩ、ＤＬアサインメント、ＤＣＩフォーマット１＿０、ＤＣＩフォーマット１＿１などと呼ばれてもよい。
【００３７】
ＴＣＩフィールドがＤＣＩに含まれるか否かは、基地局からＵＥに通知される情報によって制御されてもよい。当該情報は、ＤＣＩ内にＴＣＩフィールドが存在するか否か（present  or  absent）を示す情報（TCI-PresentInDCI）であってもよい。当該情報は、例えば、上位レイヤシグナリングによってＵＥに設定されてもよい。
【００３８】
ＤＣＩがｘビット（例えば、ｘ＝３）のＴＣＩフィールドを含む場合、基地局は、最大２ｘ（例えば、ｘ＝３の場合、８）種類のＴＣＩ状態を、上位レイヤシグナリングを用いてＵＥに予め設定してもよい。ＤＣＩ内のＴＣＩフィールドの値（ＴＣＩフィールド値）は、上位レイヤシグナリングにより予め設定されたＴＣＩ状態の１つを示してもよい。
【００３９】
８種類を超えるＴＣＩ状態がＵＥに設定される場合、ＭＡＣ  ＣＥを用いて、８種類以下のＴＣＩ状態がアクティベート（又は指定）されてもよい。当該ＭＡＣ  ＣＥは、ＵＥ固有ＰＤＳＣＨ用ＴＣＩ状態アクティベーション／ディアクティベーションＭＡＣ  ＣＥ（TCI  States  Activation/Deactivation  for  UE-specific  PDSCH  MAC  CE）と呼ばれてもよい。ＤＣＩ内のＴＣＩフィールドの値は、ＭＡＣ  ＣＥによりアクティベートされたＴＣＩ状態の一つを示してもよい。
【００４０】
当該ＭＡＣ  ＣＥは、ＲＲＣシグナリングによって設定されるＴＣＩ状態ＩＤ（TCI  state  ID）のうち、ＤＣＩのＴＣＩフィールドのコードポイントにマップするＴＣＩ状態を指定し、当該ＴＣＩ状態をアクティベートするために用いられる。アクティベートされたＴＣＩ状態は、ＴＣＩ状態ＩＤの昇順又は降順に、上記ＴＣＩフィールドのコードポイント値０から２ｘ−１（例えば、ｘ＝３の場合、７）にマップされてもよい。
【００４１】
ＵＥが、上記ＭＡＣ  ＣＥを提供したＰＤＳＣＨのためのＨＡＲＱ−ＡＣＫ（Hybrid  Automatic  Repeat  reQuest  ACKnowledgement）を送信するスロットをｎとおくと、当該ＭＡＣ  ＣＥに基づくアクティベーション／ディアクティベーション（ＤＣＩ内のＴＣＩフィールドとＴＣＩ状態とのマッピング）は、スロットｎ＋３＊（サブフレーム内のスロット数）＋１から適用されてもよい。つまり、スロットｎ＋３＊（サブフレーム内のスロット数）＋１において、上記ＭＡＣ  ＣＥに基づくＴＣＩフィールドのコードポイントの更新が有効であってもよい。
【００４２】
ＤＬ  ＤＣＩの受信と当該ＤＣＩに対応するＰＤＳＣＨの受信との間の時間オフセットが所定の閾値以上である場合、ＵＥは、当該ＤＣＩによって指示されるＴＣＩ状態によって与えられるＱＣＬタイプパラメータに関するＴＣＩ状態におけるＲＳと、サービングセルのＰＤＳＣＨのＤＭＲＳポートがＱＣＬである（”the  DM-RS  ports  of  PDSCH  of  a  serving  cell  are  quasi  co-located  with  the  RS(s)  in  the  TCI  state  with  respect  to  the  QCL  type  parameter(s)  given  by  the  indicated  TCI  state”）と想定してもよい。
【００４３】
ＤＬ  ＤＣＩの受信と当該ＤＣＩに対応するＰＤＳＣＨの受信との間の時間オフセットは、スケジューリングオフセットと呼ばれてもよい。
【００４４】
また、上記所定の閾値は、「Threshold」、「Threshold  for  offset  between  a  DCI  indicating  a  TCI  state  and  a  PDSCH  scheduled  by  the  DCI」、「Threshold-Sched-Offset」、スケジュールオフセット閾値、スケジューリングオフセット閾値などと呼ばれてもよい。
【００４５】
スケジューリングオフセット閾値は、ＵＥ能力に基づいてもよく、例えばＰＤＣＣＨの復号及びビーム切り替えにかかる遅延に基づいてもよい。当該スケジューリングオフセット閾値の情報は、基地局から上位レイヤシグナリングを用いて設定されてもよいし、ＵＥから基地局に送信されてもよい。
【００４６】
また、スケジューリングオフセットがスケジューリングオフセット閾値未満である場合、ＵＥは、サービングセルのアクティブＢＷＰ（Bandwidth  Part）内で１つ以上の制御リソースセット（ＣＯＲＥＳＥＴ：Control  Resource  Set）が当該ＵＥに設定される最新（直近、latest）のスロットにおける最小のＣＯＲＥＳＥＴ−ＩＤに対応するＰＤＣＣＨ  ＱＣＬ指示のために用いられるＱＣＬパラメータに関するＴＣＩ状態におけるＲＳと、当該サービングセルのＰＤＳＣＨのＤＭＲＳポートがＱＣＬである（the  DM-RS  ports  of  PDSCH  of  a  serving  cell  are  quasi  co-located  with  the  RS(s)  in  the  TCI  state  with  respect  to  the  QCL  parameter(s)  used  for  PDCCH  quasi  co-location  indication  of  the  lowest  CORESET-ID  in  the  latest  slot  in  which  one  or  more  CORESETs  within  the  active  BWP  of  the  serving  cell  are  configured  for  the  UE）と想定してもよい。
【００４７】
例えば、ＵＥは、上記ＰＤＳＣＨのＤＭＲＳポートが、上記最小のＣＯＲＥＳＥＴ−ＩＤに対応するＣＯＲＥＳＥＴについてアクティベートされたＴＣＩ状態に基づくＤＬ−ＲＳとＱＣＬであると想定してもよい。最新のスロットは、例えば、上記ＰＤＳＣＨをスケジュールするＤＣＩを受信するスロットであってもよい。
【００４８】
なお、ＣＯＲＥＳＥＴ−ＩＤは、ＲＲＣ情報要素「ControlResourceSet」によって設定されるＩＤ（ＣＯＲＥＳＥＴの識別のためのＩＤ）であってもよい。
【００４９】
図１は、ＰＤＳＣＨのＤＭＲＳポートのＱＣＬ想定の一例を示す図である。本例では、スケジューリングオフセットがスケジューリングオフセット閾値より小さい。したがって、ＵＥは、当該ＰＤＳＣＨのＤＭＲＳポートが、最新のスロットにおける最小のＣＯＲＥＳＥＴ−ＩＤに対応するＰＤＣＣＨ用ＴＣＩ状態におけるＲＳ（例えば、ＰＤＣＣＨ用ＤＭＲＳ）と、ＱＣＬであると想定してもよい。
【００５０】
（ＣＳＩ）
ＮＲにおいては、ＵＥは、所定の参照信号（又は、当該参照信号用のリソース）を用いてチャネル状態を測定し、チャネル状態情報（ＣＳＩ：Channel  State  Information）を基地局にフィードバック（報告）する。
【００５１】
ＵＥは、チャネル状態情報参照信号（ＣＳＩ−ＲＳ：Channel  State  Information  Reference  Signal）、同期信号／ブロードキャストチャネル（ＳＳ／ＰＢＣＨ：Synchronization  Signal/Physical  Broadcast  Channel）ブロック、同期信号（ＳＳ：Synchronization  Signal）、復調用参照信号（ＤＭＲＳ：DeModulation  Reference  Signal）などを用いて、チャネル状態を測定してもよい。
【００５２】
ＣＳＩのフィードバック方法としては、周期的なＣＳＩ（Ｐ−ＣＳＩ：Periodic  CSI）報告、非周期的なＣＳＩ（Ａ−ＣＳＩ：Aperiodic  CSI、ＡＰ−ＣＳＩ）報告、セミパーシステントなＣＳＩ（ＳＰ−ＣＳＩ：Semi-Persistent  CSI）報告などが検討されている。
【００５３】
ＰＵＣＣＨを用いるＳＰ−ＣＳＩ報告（ＰＵＣＣＨベースＳＰ−ＣＳＩ報告）は、ＭＡＣ  ＣＥによってアクティベートされてもよい。ＰＵＳＣＨを用いるＳＰ−ＣＳＩ報告（ＰＵＳＣＨベースＳＰ−ＣＳＩ報告）、ＰＵＳＣＨ又はＰＵＣＣＨを用いるＡＰ−ＣＳＩ報告などは、ＤＣＩによってアクティベート（又はトリガ）されてもよい。
【００５４】
例えば、ＤＣＩに含まれるＣＳＩ要求フィールド（CSI  request  field）によって、トリガ状態（trigger  state）が指定されてもよい。トリガ状態は、上位レイヤシグナリング（例えば、ＲＲＣシグナリング）によって設定されてもよい。ＡＰ−ＣＳＩ報告用のトリガ状態のリストは、ＲＲＣ情報要素「CSI-AperiodicTriggerStateList」で設定されてもよく、ＳＰ−ＣＳＩ報告用のトリガ状態のリストは、ＲＲＣ情報要素「CSI-SemiPersistentOnPUSCH-TriggerStateList」で設定されてもよい。各トリガ状態は、１つ又は複数の報告設定ＩＤ（CSI-ReportConfigId）、ＣＳＩリソース設定情報などと関連付けられてもよい。
【００５５】
ＡＰ−ＣＳＩ報告のために測定するＣＳＩ−ＲＳは、ＡＰ  ＣＳＩ−ＲＳ（又はＡ−ＣＳＩ−ＲＳ）（Aperiodic  CSI-RS）と呼ばれてもよい。ＡＰ−ＣＳＩ報告では、ＤＣＩを用いてＣＳＩ−ＲＳの測定及びＡＰ−ＣＳＩ報告を同時にトリガするため、ＲＳリソース及び上りチャネルのリソースを効率的に使用しつつ、動的にＣＳＩ報告をトリガできる。
【００５６】
ところで、ＤＣＩから当該ＤＣＩによって指示されたＡＰ  ＣＳＩ−ＲＳまでの期間は、上述のトリガ状態に関連して特定されてもよい。例えば、ＵＥは、トリガ状態に基づいて、測定対象のＣＳＩ−ＲＳリソースセットに対応するＣＳＩ−ＲＳリソースセットＩＤを決定する。このＣＳＩ−ＲＳリソースセットＩＤは、非周期トリガリングオフセット（aperiodic  triggering  offset）と関連付けられてもよい。
【００５７】
非周期トリガリングオフセットは、ＡＰ  ＣＳＩ−ＲＳのリソースセットをトリガするＤＣＩが含まれるスロットと、当該リソースセットが送信されるスロットと、のオフセットを意味してもよい。非周期トリガリングオフセットとしては、例えば０以上４以下の値が設定されてもよいし、４より大きい値が設定されてもよい。非周期トリガリングオフセットの情報は、ＲＲＣパラメータの「aperiodicTriggeringOffset」に対応してもよい。
【００５８】
また、ビームスイッチングタイミングに関するＵＥ能力（UE  capability）が定義されることが検討されている。当該ＵＥ能力は、ＡＰ−ＣＳＩ−ＲＳビームスイッチングタイミング（AP-CSI-RS  beam  switching  timing）、単にビームスイッチングタイミングなどと呼ばれてもよい。
【００５９】
ビームスイッチングタイミングは、ＡＰ  ＣＳＩ−ＲＳの測定（とＡＰ−ＣＳＩの報告）をトリガするＤＣＩと当該ＡＰ  ＣＳＩ−ＲＳとの間の最小の時間で定義されてもよい。ビームスイッチングタイミングは、上記ＤＣＩを受信した最後のシンボルから当該ＤＣＩによってトリガされるＡＰ  ＣＳＩ−ＲＳの最初のシンボルまでの時間を示してもよい。
【００６０】
ビームスイッチングタイミングは、第１の周波数帯（ＦＲ２：Frequency  Range  2）及び第２の周波数帯（ＦＲ２：Frequency  Range  2）の少なくとも一方に適用されてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られない。
【００６１】
ビームスイッチングタイミングは、サブキャリア間隔（例えば、６０ｋＨｚ、１２０ｋＨｚ）ごとに異なる値をとってもよい。
【００６２】
ビームスイッチングタイミングは、シンボル数で表現されてもよく、例えば、１４、２８、４８、２２４、３３６シンボルなどの値を取り得る。３３６シンボルという比較的大きな値は、ＵＥがマルチパネルを搭載するケースにおいて、ＡＰ  ＣＳＩ−ＲＳを受信するパネルの電源をオフからオンにするための時間を考慮して検討された。アクティベートされていないビームのパネルはＵＥが電源をオフしても良いため、パネルの電源がオフの場合に対処したものである。
【００６３】
以下、本開示において、スケジューリングオフセットは、上述のＰＤＳＣＨのスケジューリングオフセットと、ＡＰ  ＣＳＩ−ＲＳの非周期トリガリングオフセットと、の一方又は両方で読み替えられてもよい。
【００６４】
また、以下、本開示において、閾値は、上述のＰＤＳＣＨのスケジューリングオフセット閾値と、ＡＰ  ＣＳＩ−ＲＳのビームスイッチングタイミングと、の一方又は両方で読み替えられてもよい。
【００６５】
ＮＲにおいて、ＡＰ  ＣＳＩ−ＲＳに関するスケジューリングオフセットが閾値より小さい場合の、当該ＡＰ  ＣＳＩ−ＲＳに適用するＱＣＬ想定について、検討が行われている。
【００６６】
図２Ａ及び２Ｂは、ＡＰ  ＣＳＩ−ＲＳのＱＣＬ想定の一例を示す図である。本例では、ＡＰ  ＣＳＩ−ＲＳに関するスケジューリングオフセットが閾値より小さい。
【００６７】
図２Ａには、ＰＤＳＣＨをスケジューリングするＤＣＩの復号に成功後、ＡＰ−ＣＳＩ−ＲＳと同じシンボルにおいて、ＰＤＳＣＨのみが送信されるケースが示されている。この場合、ＵＥは、ＡＰ  ＣＳＩ−ＲＳのデフォルトのＱＣＬ想定が、同じシンボルのＰＤＳＣＨのＱＣＬ想定と同じであると想定してもよい。なお、ＰＤＳＣＨに関するスケジューリングオフセットは、図示される閾値以上であってもよい。
【００６８】
図２Ｂには、ＡＰ−ＣＳＩ−ＲＳと同じシンボルにおいて、ＰＤＳＣＨが送信されないケースが示されている。この場合、ＵＥは、ＡＰ  ＣＳＩ−ＲＳのデフォルトのＱＣＬ想定が、最小のＣＯＲＥＳＥＴ−ＩＤに対応するＣＯＲＥＳＥＴから導出されると想定してもよい。
【００６９】
（マルチパネル）
ＮＲでは、１つ又は複数の送受信ポイント（ＴＲＰ：Transmission/Reception  Point）（マルチＴＲＰ）が、１つ又は複数のパネル（マルチパネル）を用いて、ＵＥに対してＤＬ送信（例えば、ＰＤＳＣＨ送信、ＡＰ  ＣＳＩ−ＲＳ送信）を行うことが検討されている。
【００７０】
図３Ａ−３Ｄは、マルチパネル／ＴＲＰシナリオの一例を示す図である。図３Ａ及び３Ｃは、１つのＴＲＰがマルチパネルを用いて、ＵＥにＰＤＣＣＨ及びＡＰ  ＣＳＩ−ＲＳを送信する例を示す。図３Ｂ及び３Ｄは、２つのＴＲＰ（ＴＲＰ１及び２）が、ＵＥにＰＤＣＣＨ及びＡＰ  ＣＳＩ−ＲＳを送信する例を示す。これらの例において、各ＴＲＰは４つの異なるビームを送信可能であると想定するが、これに限られない。
【００７１】
図３Ａ及び３Ｂは、複数のＡＰ  ＣＳＩ−ＲＳのスケジュールのために、複数のＰＤＣＣＨが用いられる例に対応する。ＵＥは、パネル１（又はＴＲＰ１）から送信される、ＤＣＩ１と、当該ＤＣＩ１によってスケジュールが指示される（トリガされる）ＡＰ  ＣＳＩ−ＲＳ１と、を受信する。ＵＥは、パネル２（又はＴＲＰ２）から送信される、ＤＣＩ２と、当該ＤＣＩ２によってスケジュールが指示されるＡＰ  ＣＳＩ−ＲＳ２と、を受信する。
【００７２】
図３Ｃ及び３Ｄは、複数のＡＰ  ＣＳＩ−ＲＳのスケジュールのために、１つのＰＤＣＣＨ（シングルＰＤＣＣＨ）が用いられる例に対応する。ＵＥは、パネル１（又はＴＲＰ１）及びパネル２（又はＴＲＰ２）のいずれかから送信される、１つのＤＣＩを受信する。また、ＵＥは、パネル１（又はＴＲＰ１）から送信される、当該ＤＣＩによってスケジュールが指示されるＡＰ  ＣＳＩ−ＲＳ１を受信する。また、ＵＥは、パネル２（又はＴＲＰ２）から送信される、当該ＤＣＩによってスケジュールが指示されるＡＰ  ＣＳＩ−ＲＳ２を受信する。
【００７３】
このようなマルチパネル／ＴＲＰシナリオによれば、品質の良いチャネルを用いたより柔軟な送信制御が可能である。
【００７４】
しかしながら、これまでのＮＲ仕様においては、マルチパネル／ＴＲＰが考慮されていないため、マルチパネル／ＴＲＰが用いられる場合のＡＰ  ＣＳＩ−ＲＳのＱＣＬ想定を適切に制御できない。
【００７５】
図４は、マルチパネル／ＴＲＰが用いられる場合のＡＰ  ＣＳＩ−ＲＳのＱＣＬ想定の課題を示す図である。本例は、図３Ａ及び３Ｂに示したマルチＰＤＣＣＨの例に対応する。
【００７６】
ＵＥは、パネル１（又はＴＲＰ１又はＤＭＲＳポートグループ１）から送信されるＤＣＩ１、ＰＤＳＣＨ１及びＡＰ  ＣＳＩ−ＲＳ１を受信する。ＰＤＳＣＨ１及びＡＰ  ＣＳＩ−ＲＳ１は同じシンボルで送信される。当該ＤＣＩ１の受信からＰＤＳＣＨ１及びＡＰ  ＣＳＩ−ＲＳ１までのスケジューリングオフセット１は、閾値より小さい。
【００７７】
また、ＵＥは、パネル２（又はＴＲＰ２又はＤＭＲＳポートグループ２）から送信されるＤＣＩ２及びＡＰ  ＣＳＩ−ＲＳ２を受信する。当該ＤＣＩ２の受信からＡＰ  ＣＳＩ−ＲＳ２までのスケジューリングオフセット２は、閾値より小さい。
【００７８】
図４の例において、ＡＰ  ＣＳＩ−ＲＳ１及びＡＰ  ＣＳＩ−ＲＳ２のＱＣＬをどのように想定するかについては、これまで検討が進んでいない。したがって、現状のＮＲ仕様に従う場合には、マルチパネル／ＴＲＰを用いる場合の空間ダイバーシチ利得、高ランク送信などが好適に実現できず、通信スループットの増大が抑制されるおそれがある。
【００７９】
そこで、本発明者らは、マルチパネル／ＴＲＰを用いる場合に対応できるＱＣＬ想定を着想した。
【００８０】
以下、本開示に係る実施形態について、図面を参照して詳細に説明する。各実施形態に係る無線通信方法は、それぞれ単独で適用されてもよいし、組み合わせて適用されてもよい。
【００８１】
なお、本開示において、パネル、ＴＲＰ、ＤＭＲＳポート、ＤＭＲＳポートグループ、ＰＤＳＣＨ、コードワードなどは、互いに読み替えられてもよい。また、パネルＩＤとパネルは互いに読み替えられてもよい。
【００８２】
（無線通信方法）
＜第１の実施形態＞
第１の実施形態では、ＤＣＩの受信と当該ＤＣＩに対応するＡＰ−ＣＳＩ−ＲＳの受信との間の時間オフセット（スケジューリングオフセット）が閾値より小さい場合に、ＵＥは、ＡＰ  ＣＳＩ−ＲＳのデフォルトのＱＣＬ想定が、特定の関連パネルＩＤの以下の少なくとも１つに基づいて導出されると想定してもよい：
（１）同じシンボルにおけるＰＤＳＣＨ、
（２）最小のＣＯＲＥＳＥＴ−ＩＤ、
（３）ＡＰ  ＣＳＩ−ＲＳをスケジューリングするＤＣＩを受信するＣＯＲＥＳＥＴ、
（４）同じシンボルにおける他の下りリンク（ＤＬ）信号。
【００８３】
ここで、特定の関連パネルＩＤは、例えば、サービングセルのアクティブＢＷＰ内の１つ以上のＣＯＲＥＳＥＴが当該ＵＥに設定される、最新のスロットにおける最小又は最大のパネルＩＤであってもよい。ここでいう最新のスロットは、当該サービングセルのアクティブＢＷＰ内の１つ以上のＣＯＲＥＳＥＴが当該ＵＥに設定される最新のスロットを意味してもよいし、ＤＣＩを受信する最新のスロットを意味してもよい。
【００８４】
なお、上記（４）の他のＤＬ信号は、例えば、ＰＳＳ、ＳＳＳ、ＰＢＣＨのＤＭＲＳ、ＰＤＣＣＨ、ＰＤＣＣＨのＤＭＲＳ、Ｐ−ＣＳＩ−ＲＳ、ＳＰ−ＣＳＩ−ＲＳなどの少なくとも１つであってもよい。
【００８５】
上記（１）又は（４）を用いる場合、ＵＥは、ＰＤＳＣＨ又は他のＤＬ信号のＱＣＬ想定が適切に決定されると、当該ＱＣＬ想定を利用してＡＰ  ＣＳＩ−ＲＳの受信を好適に実施できる。ＵＥが受信ビームとしてアナログビームを用いる場合に、特に好ましい。
【００８６】
上記（２）を用いる場合、ＵＥは、他の処理でも基準となる最小のＣＯＲＥＳＥＴ−ＩＤに基づいてＡＰ  ＣＳＩ−ＲＳのＱＣＬ想定を適切に決定できる。
【００８７】
上記（３）を用いる場合、ＵＥは、ＡＰ  ＣＳＩ−ＲＳを好適に受信できると考えられる。ＵＥがＡＰ  ＣＳＩ−ＲＳを測定（受信）するということは当該ＡＰ  ＣＳＩ−ＲＳをトリガするＤＣＩを受信しているはずなので、当該ＤＣＩのＣＯＲＥＳＥＴのＱＣＬ想定は受信に適していると考えられるためである。
【００８８】
ＵＥは、ＡＰ  ＣＳＩ−ＲＳのデフォルトのＱＣＬ想定について上記（１）−（４）をどのように用いるかを、当該ＡＰ  ＣＳＩ−ＲＳと同じシンボルにおいて送信される他のチャネル／信号に基づいて決定してもよい。
【００８９】
例えば、ＵＥは、ＡＰ−ＣＳＩ−ＲＳのスケジューリングオフセットが閾値より小さい場合であって、当該ＡＰ−ＣＳＩ−ＲＳと同じシンボルにおいて、ＰＤＳＣＨが送信されず他のチャネル（例えば、ＰＤＣＣＨ）が送信される場合には、上記（２）−（４）の少なくとも１つを用いると判断してもよい。ＵＥは、ＡＰ−ＣＳＩ−ＲＳのスケジューリングオフセットが閾値より小さい場合であって、当該ＡＰ−ＣＳＩ−ＲＳと同じシンボルにおいて、ＰＤＳＣＨも他のＤＬ信号（（４）に該当する他のＤＬ信号）も送信されない場合には、上記（２）−（３）の少なくとも１つを用いると判断してもよい。
【００９０】
図５Ａ及び５Ｂは、第１の実施形態におけるＡＰ  ＣＳＩ−ＲＳのＱＣＬ想定の一例を示す図である。
【００９１】
図５Ａの例において、ＵＥは、パネル１（又はＴＲＰ１又はＤＭＲＳポートグループ１）から送信されるＤＣＩ１及びＡＰ  ＣＳＩ−ＲＳ１を受信する。ＡＰ  ＣＳＩ−ＲＳ１と同じシンボルではＰＤＳＣＨ及び他のＤＬ信号は送信されない。当該ＤＣＩ１の受信からＡＰ  ＣＳＩ−ＲＳ１までのスケジューリングオフセット１は、閾値より小さい。
【００９２】
また、ＵＥは、パネル２（又はＴＲＰ２又はＤＭＲＳポートグループ２）から送信されるＤＣＩ２及びＡＰ  ＣＳＩ−ＲＳ２を受信する。ＡＰ  ＣＳＩ−ＲＳ２と同じシンボルではＰＤＳＣＨ及び他のＤＬ信号は送信されない。当該ＤＣＩ２の受信からＡＰ  ＣＳＩ−ＲＳ２までのスケジューリングオフセット２は、閾値より小さい。
【００９３】
図５Ｂの例は、スケジューリングオフセット１が閾値以上である点が図５Ａと異なる。なお、これらの例において、上記特定の関連パネルＩＤは、パネルＩＤ１であると想定するが、これに限られない。
【００９４】
図５Ａでは、スケジューリングオフセット１及び２の両方が、閾値より小さい。したがって、ＵＥは、上記（２）に基づいて、ＡＰ  ＣＳＩ−ＲＳ１及びＡＰ  ＣＳＩ−ＲＳ２の両方のデフォルトのＱＣＬ想定を、パネル１の最小のＣＯＲＥＳＥＴ−ＩＤに基づいて決定してもよい。例えば、ＵＥは、ＡＰ  ＣＳＩ−ＲＳ１及びＡＰ  ＣＳＩ−ＲＳ２の両方が、最新のスロットにおけるパネル１の最小のＣＯＲＥＳＥＴ−ＩＤに対応するＰＤＣＣＨ用ＴＣＩ状態におけるＲＳと、ＱＣＬであると想定してもよい。
【００９５】
なお、ＤＣＩ１は、パネル１の最小のＣＯＲＥＳＥＴ−ＩＤのＣＯＲＥＳＥＴで送信されてもよいし、別のＣＯＲＥＳＥＴで送信されてもよい（以下の図面でも同様に、ＣＯＲＥＳＥＴとＤＣＩが記載される場合であっても、当該ＤＣＩは当該ＣＯＲＥＳＥＴに含まれてもよいし、含まれなくてもよい）。
【００９６】
図５Ｂでは、スケジューリングオフセット１は閾値より大きく、スケジューリングオフセット２は閾値より小さい。したがって、ＵＥは、ＡＰ  ＣＳＩ−ＲＳ１が、ＤＣＩ１によって指示されるＴＣＩ状態によって与えられるＱＣＬタイプパラメータに関するＴＣＩ状態におけるＲＳと、ＱＣＬであると想定してもよい。ＵＥは、ＡＰ  ＣＳＩ−ＲＳ２が、最新のスロットにおけるパネル１の最小のＣＯＲＥＳＥＴ−ＩＤに対応するＰＤＣＣＨ用ＴＣＩ状態におけるＲＳと、ＱＣＬであると想定してもよい。
【００９７】
図６Ａ及び６Ｂは、第１の実施形態におけるＡＰ  ＣＳＩ−ＲＳのＱＣＬ想定の別の一例を示す図である。図６Ａ及び６Ｂは、ＱＣＬ想定以外はそれぞれ図５Ａ及び５Ｂと同様である。
【００９８】
図６Ａでは、スケジューリングオフセット１及び２の両方が、閾値より小さい。したがって、ＵＥは、上記（３）に基づいて、ＡＰ  ＣＳＩ−ＲＳ１及びＡＰ  ＣＳＩ−ＲＳ２の両方のデフォルトのＱＣＬ想定を、パネル１のＡＰ  ＣＳＩ−ＲＳをスケジューリングするＤＣＩを受信するＣＯＲＥＳＥＴに基づいて決定してもよい。例えば、ＵＥは、ＡＰ  ＣＳＩ−ＲＳ１及びＡＰ  ＣＳＩ−ＲＳ２の両方が、最新のスロットにおけるパネル１のＡＰ  ＣＳＩ−ＲＳ１をスケジュールするＤＣＩ（つまり、ＤＣＩ１）に対応するＰＤＣＣＨ用ＴＣＩ状態におけるＲＳと、ＱＣＬであると想定してもよい。
【００９９】
図６Ｂでは、スケジューリングオフセット１は閾値より大きく、スケジューリングオフセット２は閾値より小さい。したがって、ＵＥは、ＡＰ  ＣＳＩ−ＲＳ１が、ＤＣＩ１によって指示されるＴＣＩ状態によって与えられるＱＣＬタイプパラメータに関するＴＣＩ状態におけるＲＳと、ＱＣＬであると想定してもよい。ＵＥは、ＡＰ  ＣＳＩ−ＲＳ２が、最新のスロットにおけるパネル１のＡＰ  ＣＳＩ−ＲＳ１をスケジュールするＤＣＩ（つまり、ＤＣＩ１）に対応するＰＤＣＣＨ用ＴＣＩ状態におけるＲＳと、ＱＣＬであると想定してもよい。
【０１００】
図７Ａ及び７Ｂは、第１の実施形態におけるＡＰ  ＣＳＩ−ＲＳのＱＣＬ想定のさらに別の一例を示す図である。図７Ａ及び７Ｂは、ＡＰ  ＣＳＩ−ＲＳ２と同じシンボルにおいてパネル１で他のＤＬ信号が送信されることと、ＱＣＬ想定以外は、それぞれ図５Ａ及び５Ｂと同様である。
【０１０１】
図７Ａでは、スケジューリングオフセット１及び２の両方が、閾値より小さい。したがって、ＵＥは、上記（４）に基づいて、ＡＰ  ＣＳＩ−ＲＳ１及びＡＰ  ＣＳＩ−ＲＳ２の両方のデフォルトのＱＣＬ想定を、上記他のＤＬ信号に基づいて決定してもよい。例えば、ＵＥは、ＡＰ  ＣＳＩ−ＲＳ１及びＡＰ  ＣＳＩ−ＲＳ２の両方が、パネル１の同じシンボルの他のＤＬ信号とＱＣＬであると想定してもよい。
【０１０２】
図７Ｂでは、スケジューリングオフセット１は閾値より大きく、スケジューリングオフセット２は閾値より小さい。したがって、ＵＥは、ＡＰ  ＣＳＩ−ＲＳ１が、ＤＣＩ１によって指示されるＴＣＩ状態によって与えられるＱＣＬタイプパラメータに関するＴＣＩ状態におけるＲＳと、ＱＣＬであると想定してもよい。ＵＥは、ＡＰ  ＣＳＩ−ＲＳ２が、パネル１の同じシンボルの他のＤＬ信号とＱＣＬであると想定してもよい。
【０１０３】
以上説明した第１の実施形態によれば、ＡＰ  ＣＳＩ−ＲＳに関するスケジューリングオフセットが閾値より小さい場合のＡＰ  ＣＳＩ−ＲＳのＱＣＬ想定を、特定のパネルに基づいて決定できる。また、スケジューリングオフセットをスケジューリングオフセット閾値より小さくすれば、複数のＡＰ  ＣＳＩ−ＲＳに関するＱＣＬ想定を同じにすることができる。
【０１０４】
＜第２の実施形態＞
第２の実施形態では、ＤＣＩの受信と当該ＤＣＩに対応するＡＰ−ＣＳＩ−ＲＳの受信との間の時間オフセット（スケジューリングオフセット）が閾値より小さい場合に、ＵＥは、ＡＰ  ＣＳＩ−ＲＳのデフォルトのＱＣＬ想定が、対応する関連パネルＩＤ（corresponding  associated  panel  ID）の以下の少なくとも１つに基づいて導出されると想定してもよい：
（１）同じシンボルにおけるＰＤＳＣＨ、
（２）最小のＣＯＲＥＳＥＴ−ＩＤ、
（３）ＡＰ  ＣＳＩ−ＲＳをスケジューリングするＤＣＩを受信するＣＯＲＥＳＥＴ、
（４）同じシンボルにおける他の下りリンク（ＤＬ）信号。
【０１０５】
ここで、対応する関連パネルＩＤは、例えば、上記ＡＰ  ＣＳＩ−ＲＳ（又はＤＣＩ）の送信又は受信のために用いられるパネルＩＤであってもよい。
【０１０６】
図８は、第２の実施形態におけるＡＰ  ＣＳＩ−ＲＳのＱＣＬ想定の一例を示す図である。
【０１０７】
図８では、ＵＥは、パネル１（又はＴＲＰ１又はＤＭＲＳポートグループ１）から送信されるＤＣＩ１、ＰＤＳＣＨ１及びＡＰ  ＣＳＩ−ＲＳ１を受信する。ＰＤＳＣＨ１及びＡＰ  ＣＳＩ−ＲＳ１は同じシンボルで送信される。当該ＤＣＩ１の受信からＰＤＳＣＨ１及びＡＰ  ＣＳＩ−ＲＳ１までのスケジューリングオフセット１は、閾値より小さい。
【０１０８】
また、図８では、ＵＥは、パネル２（又はＴＲＰ２又はＤＭＲＳポートグループ２）から送信されるＤＣＩ２、ＰＤＳＣＨ２及びＡＰ  ＣＳＩ−ＲＳ２を受信する。ＰＤＳＣＨ２及びＡＰ  ＣＳＩ−ＲＳ２は同じシンボルで送信される。当該ＤＣＩ２の受信からＰＤＳＣＨ２及びＡＰ  ＣＳＩ−ＲＳ２までのスケジューリングオフセット２は、閾値より小さい。
【０１０９】
図８では、スケジューリングオフセット１及び２の両方が、閾値より小さい。したがって、ＵＥは、上記（１）に基づいて、ＡＰ  ＣＳＩ−ＲＳ１のデフォルトのＱＣＬ想定をＰＤＳＣＨ１に基づいて決定し、ＡＰ  ＣＳＩ−ＲＳ２のデフォルトのＱＣＬ想定をＰＤＳＣＨ２に基づいて決定してもよい。
【０１１０】
図９は、第２の実施形態におけるＡＰ  ＣＳＩ−ＲＳのＱＣＬ想定の別の一例を示す図である。
【０１１１】
図９の例は、ＱＣＬ想定以外は、パネル１については図８の例と同じであり、パネル２については図５Ａの例と同じである。
【０１１２】
この場合、ＵＥは、上記（１）に基づいて、ＡＰ  ＣＳＩ−ＲＳ１のデフォルトのＱＣＬ想定をＰＤＳＣＨ１に基づいて決定してもよい。また、ＵＥは、ＡＰ  ＣＳＩ−ＲＳ２が、最新のスロットにおけるパネル２の最小のＣＯＲＥＳＥＴ−ＩＤに対応するＰＤＣＣＨ用ＴＣＩ状態におけるＲＳと、ＱＣＬであると想定してもよい。
【０１１３】
以上説明した第２の実施形態によれば、ＡＰ  ＣＳＩ−ＲＳに関するスケジューリングオフセットが閾値より小さい場合のＡＰ  ＣＳＩ−ＲＳのＱＣＬ想定を、対応するパネルに基づいて決定できる。
【０１１４】
＜その他の実施形態＞
第１の実施形態は、例えば、以下の少なくとも１つを満たす場合に適用されてもよい：
・ＵＥが１つのＴＲＰから複数のＰＤＣＣＨ（ＤＣＩ）又はＰＤＳＣＨを受信する場合、
・ＵＥがマルチパネルから複数のＰＤＣＣＨ（ＤＣＩ）又はＰＤＳＣＨを受信する場合、
・マルチＴＲＰ又はマルチパネル間のＤＣＩのＴＣＩ状態がＱＣＬタイプＤと想定される場合。
【０１１５】
第２の実施形態は、例えば、以下の少なくとも１つを満たす場合に適用されてもよい：
・ＵＥがマルチＴＲＰから複数のＰＤＣＣＨ（ＤＣＩ）又はＰＤＳＣＨを受信する場合、
・ＵＥがマルチパネルから複数のＰＤＣＣＨ（ＤＣＩ）又はＰＤＳＣＨを受信する場合、
・マルチＴＲＰ又はマルチパネル間のＤＣＩのＴＣＩ状態がＱＣＬタイプＤと想定されない場合。
【０１１６】
なお、これらの条件のなかで、ＤＣＩのＴＣＩ状態は、アクティベートされたＴＣＩ状態、最小のＴＣＩ状態ＩＤ、最小のＣＯＲＥＳＥＴ  ＩＤのＴＣＩ状態などの少なくとも１つで読み替えられてもよい。
【０１１７】
第１の実施形態及び第２の実施形態に示したＱＣＬ想定の判断方法は、条件によって使い分けられてもよい。言い換えると、第１の実施形態の（１）−（４）及び第２の実施形態の（１）−（４）は、適用される優先順位が仕様によって定められてもよいし、ＵＥに設定されてもよい。
【０１１８】
例えば、ＵＥがＡＰ  ＣＳＩ−ＲＳのデフォルトのＱＣＬ想定の決定に用いる方法、信号／チャネル、リソースなどの少なくとも１つに関する情報は、上位レイヤシグナリング、物理レイヤシグナリング又はこれらの組み合わせを用いて、ＵＥに送信されてもよい。
【０１１９】
図１０は、第１及び第２の実施形態の組み合わせにおけるＡＰ  ＣＳＩ−ＲＳのＱＣＬ想定の一例を示す図である。
【０１２０】
図１０の例は、ＱＣＬ想定以外は、図９の例と同じである。本例では、ＡＰ  ＣＳＩ−ＲＳを受信するパネルにおいて当該ＡＰ  ＣＳＩ−ＲＳと同じシンボルでＰＤＳＣＨが送信される場合には、第２の実施形態の（１）を適用し、そうでない場合には第１の実施形態の（２）を適用すると想定する。
【０１２１】
この場合、ＵＥは、ＡＰ  ＣＳＩ−ＲＳ１のデフォルトのＱＣＬ想定をＰＤＳＣＨ１に基づいて決定してもよい。また、ＵＥは、ＡＰ  ＣＳＩ−ＲＳ２が、最新のスロットにおけるパネル１の最小のＣＯＲＥＳＥＴ−ＩＤに対応するＰＤＣＣＨ用ＴＣＩ状態におけるＲＳと、ＱＣＬであると想定してもよい。
【０１２２】
図１１は、第１及び第２の実施形態の組み合わせにおけるＡＰ  ＣＳＩ−ＲＳのＱＣＬ想定の別の一例を示す図である。
【０１２３】
図１１の例は、ＱＣＬ想定以外は、図７Ａの例と同じである。本例では、ＡＰ  ＣＳＩ−ＲＳを受信するパネルにおいて同じシンボルで他のＤＬ信号が送信される場合には、第２の実施形態の（４）を適用し、そうでない場合には第１の実施形態の（２）を適用すると想定する。
【０１２４】
この場合、ＵＥは、ＡＰ  ＣＳＩ−ＲＳ１のデフォルトのＱＣＬ想定をパネル１の他のＤＬ信号に基づいて決定してもよい。また、ＵＥは、ＡＰ  ＣＳＩ−ＲＳ２が、最新のスロットにおけるパネル１の最小のＣＯＲＥＳＥＴ−ＩＤに対応するＰＤＣＣＨ用ＴＣＩ状態におけるＲＳと、ＱＣＬであると想定してもよい。
【０１２５】
図５Ａから図１１までは、図３Ａ及び３Ｂに示したようなマルチＰＤＣＣＨの例を示したが、図３Ｃ及び３Ｄに示したようなシングルＰＤＣＣＨに本開示の各実施形態が適用されてもよい。
【０１２６】
例えば、図５Ａにおいて、ＤＣＩ１がなくＤＣＩ２がＡＰ  ＣＳＩ−ＲＳ１及びＡＰ  ＣＳＩ−ＲＳ２をスケジュールする場合に、ＵＥは、ＡＰ  ＣＳＩ−ＲＳ１及びＡＰ  ＣＳＩ−ＲＳ２の両方が、最新のスロットにおけるパネル２の最小のＣＯＲＥＳＥＴ−ＩＤに対応するＰＤＣＣＨ用ＴＣＩ状態におけるＲＳと、ＱＣＬであると想定してもよい。
【０１２７】
なお、本開示の各実施形態ではＤＣＩ１及びＤＣＩ２の受信タイミングが同じ例を示したが、これに限られない。本開示の各実施形態は、各パネルのＤＣＩの受信タイミングが異なる場合にも適用可能である。
【０１２８】
なお、本開示の各実施形態で示したスケジューリングオフセット１及び２は、等しくてもよいし、異なってもよい。
【０１２９】
また、本開示の各実施形態で示した閾値は、パネルに依らず共通である例を示したが、パネルごとに異なってもよい。当該閾値は、仕様によって予め定められてもよいし、ＵＥ能力として報告されてもよい。また、あるパネルについての閾値は、別のパネルについての閾値からの差分又は増分Ｘ（例えば、Ｘはシンボル数）を用いて決定されてもよい。Ｘは仕様によって予め定められてもよいし、ＵＥ能力として報告されてもよい。Ｘは、サブキャリア間隔に依存して異なってもよいし、サブキャリア間隔に関わらず同じであってもよい。
【０１３０】
ＣＯＲＥＳＥＴ−ＩＤのインデックスの付し方（インデクシング）は、全パネル（又はＴＲＰ又はＤＭＲＳポートグループ）に共通（グローバル）であってもよいし、各パネル（又はＴＲＰ又はＤＭＲＳポートグループ）に独立であってもよい。
【０１３１】
例えば、ＣＯＲＥＳＥＴ−ＩＤ＝１及び２がＤＭＲＳポートグループ１に対応し、ＣＯＲＥＳＥＴ−ＩＤ＝３及び４がＤＭＲＳポートグループ２に対応する例を考える。この場合、最小のＣＯＲＥＳＥＴ−ＩＤは、１である。また、最小のＤＭＲＳポートグループの最小のＣＯＲＥＳＥＴ−ＩＤは、１である。また、ＤＭＲＳポートグループ１の最小のＣＯＲＥＳＥＴ−ＩＤは、１である。また、ＤＭＲＳポートグループ２の最小のＣＯＲＥＳＥＴ−ＩＤは、３である。
【０１３２】
なお、ＤＭＲＳポートグループは、ＣＯＲＥＳＥＴごとに関連づけられてもよい（例えば、ＲＲＣ情報要素「ControlResourceSet」がＤＭＲＳポートグループの情報を含んでもよい）。ＤＭＲＳポートグループの設定情報が、対応するＣＯＲＥＳＥＴの情報を含んでもよい。例えば、ＤＭＲＳポートグループ１がＣＯＲＥＳＥＴ−ＩＤ＝１及び２に対応することを示す情報がＤＭＲＳポートグループの設定情報によって設定されてもよい。
【０１３３】
本開示のＤＭＲＳポートグループは、ＰＤＳＣＨのＤＭＲＳポートグループ、ＰＤＣＣＨのＤＭＲＳポートグループ、ＰＢＣＨのＤＭＲＳポートグループ及び他のチャネルのＤＭＲＳポートグループの少なくとも１つを含んでもよい。
【０１３４】
本開示の最小のＣＯＲＥＳＥＴ−ＩＤは、特定の定められたＣＯＲＥＳＥＴ−ＩＤで読み替えられてもよい。
【０１３５】
［ＡＰ  ＣＳＩ−ＲＳのアクティベーション］
本開示の一実施形態においては、ＵＥは、ＡＰ  ＣＳＩ−ＲＳ用のＴＣＩ状態を、明示的に通知される所定のシグナリングに基づいてアクティベートしてもよい。例えば、当該所定のシグナリングは、ＭＡＣシグナリング（例えば、ＭＡＣ  ＣＥ）であってもよいし、物理レイヤシグナリング（例えば、ＤＣＩ）であってもよい。以下、当該所定のシグナリングがＭＡＣ  ＣＥであると想定して説明するが、ＭＡＣ  ＣＥはその他のシグナリングで読み替えられてもよい。
【０１３６】
ＡＰ  ＣＳＩ−ＲＳ用のＴＣＩ状態のアクティベーションは、ビームのアクティベーション、ＴＣＩ状態のアクティベーション、ＡＰ−ＣＳＩ−ＲＳリソースのアクティベーションなどと互いに読み替えられてもよい。
【０１３７】
ＵＥは、検出したＤＣＩによってＡＰ  ＣＳＩ−ＲＳをトリガされた場合、アクティベートされている（アクティブな）ＴＣＩ状態のＡＰ  ＣＳＩ−ＲＳの測定については、以下の少なくとも１つを想定してもよい：
・非周期トリガリングオフセットが第１の閾値以上である場合、当該ＡＰ  ＣＳＩ−ＲＳに基づくビーム測定又はＣＳＩ測定を行う、
・非周期トリガリングオフセットが第１の閾値未満である場合、当該ＡＰ  ＣＳＩ−ＲＳに基づくビーム測定又はＣＳＩ測定を行えない（又は行わない）。
【０１３８】
ＵＥは、検出したＤＣＩによってＡＰ  ＣＳＩ−ＲＳをトリガされた場合、アクティベートされていない（ディアクティブな）ＴＣＩ状態のＡＰ  ＣＳＩ−ＲＳの測定については、以下の少なくとも１つを想定してもよい：
・非周期トリガリングオフセットが第２の閾値以上である場合、当該ＡＰ  ＣＳＩ−ＲＳに基づくビーム測定又はＣＳＩ測定を行う、
・非周期トリガリングオフセットが第２の閾値未満である場合、当該ＡＰ  ＣＳＩ−ＲＳに基づくビーム測定又はＣＳＩ測定を行えない（又は行わない）。
【０１３９】
このような制御によれば、非周期トリガリングオフセットが上述の実施形態で述べたＡＰ  ＣＳＩ−ＲＳのビームスイッチングタイミングの閾値より小さい場合であっても、アクティブなＡＰ  ＣＳＩ−ＲＳについては非周期トリガリングオフセットが第１の閾値以上であれば、ディアクティブなＡＰ  ＣＳＩ−ＲＳについては非周期トリガリングオフセットが第２の閾値以上であれば、ＤＣＩによって指示されるＴＣＩ状態に基づいて受信処理を行うことができる。
【０１４０】
なお、本開示において「ビーム測定又はＣＳＩ測定を行えない」は、「所定のＴＣＩ状態（ＱＣＬ）を想定してビーム測定又はＣＳＩ測定を行う」で読み替えられてもよい。「所定のＴＣＩ状態（ＱＣＬ）」は、デフォルトのＴＣＩ状態（ＱＣＬ想定）と呼ばれてもよい。
【０１４１】
このデフォルトのＱＣＬ想定は、本開示の第１、第２の実施形態などで述べたＡＰ  ＣＳＩ−ＲＳのＱＣＬ想定であってもよい。つまり、ＴＣＩ状態がアクティベートされていないＡＰ  ＣＳＩ−ＲＳがトリガされる場合において、本開示の第１、第２の実施形態などで述べたＡＰ  ＣＳＩ−ＲＳのＱＣＬ想定が適用されてもよい。
【０１４２】
なお、第１の閾値及び第２の閾値は、それぞれＵＥ能力として規定されてもよいし、仕様によって予め定められてもよい。ＵＥは、これらの閾値の少なくとも一方に関するＵＥ能力情報を基地局に送信してもよい。なお、第１の閾値は、第２の閾値未満であることが好ましいが、第２の閾値以上であってもよい。
【０１４３】
図１２は、ＡＰ  ＣＳＩ−ＲＳのアクティベーションに基づく制御の一例を示す図である。本例では、第１の閾値は、第２の閾値未満である場合を示す。また、本例では、非周期トリガリングオフセットが第１の閾値以上かつ第２の閾値未満である場合が示されている。
【０１４４】
図１２に示すＡＰ  ＣＳＩ−ＲＳリソースのＴＣＩ状態がアクティベートされている場合には、ＵＥは当該ＡＰ  ＣＳＩ−ＲＳリソースに基づくビーム測定を適用（実施）してもよい。
【０１４５】
例えば、ＡＰ  ＣＳＩ−ＲＳリソースに関連付けられるＴＣＩ状態のＩＤ（TCI  state  ID）が＃１−＃８まであって、そのうち＃１、＃２、＃４及び＃７がアクティベートされており、かつ、ＤＣＩがＴＣＩ状態ＩＤ＝＃１、＃２、＃４及び＃７の少なくとも１つに関するＡＰ  ＣＳＩ−ＲＳリソースの測定を指示する場合には、ＵＥは、当該ＡＰ  ＣＳＩ−ＲＳリソースに基づくビーム測定を行ってもよい。
【０１４６】
図１２に示すＡＰ  ＣＳＩ−ＲＳリソースのＴＣＩ状態がアクティベートされていない場合には、ＵＥは当該ＡＰ  ＣＳＩ−ＲＳリソースに基づくビーム測定を適用（実施）しないと想定してもよい。
【０１４７】
なお、非周期トリガリングオフセットが第１の閾値未満である場合には、図示されるように、ＵＥは、ＤＣＩによってトリガされたＡＰ  ＣＳＩ−ＲＳに基づくビーム測定は適用不可（cannot  be  applied）であると想定してもよいし、トリガされたＡＰ  ＣＳＩ−ＲＳに基づくビーム測定を、当該ＡＰ  ＣＳＩ−ＲＳが上記ＤＣＩとＱＣＬタイプＤの関係にあると想定して行ってもよい。
【０１４８】
また、非周期トリガリングオフセットが第２の閾値以上である場合には、図示されるように、ＵＥは、任意のＡＰ  ＣＳＩ−ＲＳに基づくビーム測定が適用可である（例えば、電源が入っていないパネルについても、電源をオンにして当該パネルを用いてＡＰ  ＣＳＩ−ＲＳの測定が可能である）と想定してもよい。
【０１４９】
このように、第１の閾値は、ＴＣＩ状態のアクティベートにかかる時間（例えば、パネルの電源をオンにする時間）を含まないビームスイッチングタイミング、アクティブなＴＣＩ状態についてのビームスイッチングタイミングなどと呼ばれてもよい。第１の閾値は、単純にビーム切り替えにかかる時間を表してもよい。
【０１５０】
また、第２の閾値は、ＴＣＩ状態のアクティベートにかかる時間を含むビームスイッチングタイミング、ディアクティブなＴＣＩ状態についてのビームスイッチングタイミングなどと呼ばれてもよい。
【０１５１】
ビームスイッチングタイミングのうち、所定値（例えば、５６シンボル）以下の値が第１の閾値として規定され、それ以外の値が第２の閾値として規定されてもよい。例えば、第１の閾値は、１４、２８、４８シンボルなどの値であってもよく、第２の閾値は、２２４、３３６シンボルなどの値であってもよい。
【０１５２】
ＡＰ  ＣＳＩ−ＲＳのＴＣＩ状態をアクティベートするＭＡＣ  ＣＥは、アクティベートするＴＣＩ状態を指定するためのビットマップを含んでもよい。図１３は、ＡＰ  ＣＳＩ−ＲＳのＴＣＩ状態をアクティベートするための情報の一例を示す図である。
【０１５３】
アクティベートの対象となるＡＰ  ＣＳＩ−ＲＳのＴＣＩ状態は、上位レイヤシグナリング（例えば、ＲＲＣ情報要素「TCI-State」）で設定されるＴＣＩ状態ＩＤ（Identifier）、ＣＳＩ−ＲＳリソースセットＩＤ、ＣＳＩリソース設定情報（ＲＲＣ情報要素「CSI-ResourceConfig」）のＩＤ（ＲＲＣパラメータの「CSI-ResourceConfigId」）、ＣＳＩ−ＲＳリソースＩＤ（例えば、ＲＲＣパラメータの「NZP-CSI-RS-ResourceId」）、ＣＳＩリソース設定情報に含まれるＣＳＩ−ＲＳリソースセットリスト（csi-RS-ResourceSetList）のエントリ番号（entry  number）などの少なくとも１つによって特定されてもよい。
【０１５４】
以下、ＴＣＩ状態ＩＤを用いてＴＣＩ状態のアクティベート／ディアクティベートを制御するケースを説明するが、これに限られず、上述の他のＩＤなどに基づいて制御が行われてもよい。
【０１５５】
図１３では、１ビットで１つのＴＣＩ状態のアクティベート／ディアクティベートを制御する例が示されている。図示される８ビットのビットマップのそれぞれのビットは、ＴＣＩ状態＃１−＃８に対応している。なお、ＵＥに設定されるＴＣＩ状態は連番でない場合もあり得る。この場合、ＭＡＣ  ＣＥによって指定されるＴＣＩ状態＃１−＃８は、ＵＥに設定されるＴＣＩ状態ＩＤを昇順又は降順に並べたもので読み替えられてもよい。
【０１５６】
ＵＥは、“１１０１００１０”を示すビットマップを含む上記ＭＡＣ  ＣＥを受信すると、ＴＣＩ状態ＩＤ＃１、＃２、＃４及び＃７をアクティベートしてもよい。
【０１５７】
なお、ＡＰ  ＣＳＩ−ＲＳのＴＣＩ状態のアクティベーションは、これに限られない。ＭＡＣ  ＣＥに含まれる１ビットで複数のＴＣＩ状態（ＴＣＩ状態セット）のアクティベーションが制御されてもよいし、使用中のビーム（又はＴＣＩ状態）に基づいて、特定のＡ−ＣＳＩ−ＲＳのＴＣＩ状態のアクティベーションが制御されてもよい。ここで、「使用中のビーム」は、少なくとも１つのチャネル（又は参照信号）についてのアクティブなビーム、アクティブなビームに対応するチャネル／参照信号、などのことを意味してもよい。
【０１５８】
ＵＥは、ＡＰ  ＣＳＩ−ＲＳのＴＣＩ状態をアクティベートするＭＡＣ  ＣＥに基づいて、全てのパネル／ＴＲＰ／ＤＭＲＳポートグループに共通でＡＰ  ＣＳＩ−ＲＳのＴＣＩ状態のアクティベーションを制御してもよいし、パネル／ＴＲＰ／ＤＭＲＳポートグループごとのＡＰ  ＣＳＩ−ＲＳのＴＣＩ状態のアクティベーションを制御してもよい。上記ＭＡＣ  ＣＥには、適用対象のパネル／ＴＲＰ／ＤＭＲＳポートグループを示す情報が含まれてもよい。
【０１５９】
例えば、ＵＥは、“１１０１００１０”を示すビットマップを含む上記ＭＡＣ  ＣＥを受信すると、全てのパネル（例えば、パネル１及びパネル２）についてＴＣＩ状態ＩＤ＃１、＃２、＃４及び＃７がアクティベートされると想定してもよい。
【０１６０】
ＵＥは、“１１０１００１０”を示すビットマップを含むパネル１向けの上記ＭＡＣ  ＣＥを受信すると、パネル１についてＴＣＩ状態ＩＤ＃１、＃２、＃４及び＃７がアクティベートされると想定してもよい。また、ＵＥは、“１１００１００１”を示すビットマップを含むパネル２向けの上記ＭＡＣ  ＣＥを受信すると、パネル２についてＴＣＩ状態ＩＤ＃１、＃２、＃５及び＃８がアクティベートされると想定してもよい。
【０１６１】
図１４は、ＡＰ  ＣＳＩ−ＲＳのアクティベーションが制御される場合のＡＰ  ＣＳＩ−ＲＳのＱＣＬ想定の一例を示す図である。
【０１６２】
図１４の例は、ＱＣＬ想定とアクティベーション以外は、図５Ａの例と同じである。ＵＥは、パネル１についてはＴＣＩ状態ＩＤ＃１、＃２、＃４及び＃７がアクティベートされており、パネル２についてはＴＣＩ状態ＩＤ＃１、＃２、＃５及び＃８がアクティベートされている。また、本例では、ＤＣＩ１及びＤＣＩ２の両方において、ＴＣＩ状態ＩＤ＃７が指示されると想定する。
【０１６３】
図１４では、第１の閾値及び第２の閾値が図示されている。スケジューリングオフセット１及び２の両方が、第１の閾値以上かつ第２の閾値より小さい。
【０１６４】
パネル１のＴＣＩ状態ＩＤ＃７はアクティブであるため、ＵＥは、ＡＰ  ＣＳＩ−ＲＳ１が、ＤＣＩ１によって指示されるＴＣＩ状態によって与えられるＱＣＬタイプパラメータに関するＴＣＩ状態におけるＲＳと、ＱＣＬであると想定してもよい。
【０１６５】
パネル２のＴＣＩ状態ＩＤ＃７はディアクティブであるため、ＵＥは、ＡＰ  ＣＳＩ−ＲＳ２をデフォルトのＱＣＬ想定に従って受信してもよく、当該デフォルトのＱＣＬ想定は、本開示の第１、第２の実施形態などで述べた方法によって特定されてもよい。例えば、第１の実施形態の（２）に従って、ＵＥは、ＡＰ  ＣＳＩ−ＲＳ２が、最新のスロットにおけるパネル１の最小のＣＯＲＥＳＥＴ−ＩＤに対応するＰＤＣＣＨ用ＴＣＩ状態におけるＲＳと、ＱＣＬであると想定してもよい。
【０１６６】
なお、ＵＥは、あるパネルのディアクティブなＡＰ  ＣＳＩ−ＲＳのＱＣＬ想定を、当該パネルのアクティベートされているＡＰ  ＣＳＩ−ＲＳ（例えば、アクティブなうち、ＩＤが最小又は最大のＡＰ  ＣＳＩ−ＲＳ）に基づいて決定してもよい。例えば、図１４の例において、ＵＥは、ＡＰ  ＣＳＩ−ＲＳ２が、アクティブなＡＰ−ＣＳＩ−ＲＳのうち最小のＴＣＩ状態ＩＤ（ここでは、ＴＣＩ状態ＩＤ＃１）におけるＲＳと、ＱＣＬであると想定してもよい。
【０１６７】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１６８】
図１５は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１６９】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビティ（ＥＮ−ＤＣ：E-UTRA-NR  Dual  Connectivity）、ＮＲとＬＴＥとのデュアルコネクティビティ（ＮＥ−ＤＣ：NR-E-UTRA  Dual  Connectivity）などを含んでもよい。
【０１７０】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１７１】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１７２】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１７３】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１７４】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１７５】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１７６】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１７７】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１７８】
ユーザ端末２０は、ＬＴＥ、ＬＴＥ−Ａ、５Ｇなどの通信方式の少なくとも１つに対応した端末であってもよい。
【０１７９】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１８０】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１８１】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１８２】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１８３】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１８４】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１８５】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１８６】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１８７】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１８８】
ＰＵＣＣＨによって、チャネル状態情報（ＣＳＩ：Channel  State  Information）、送達確認情報（例えば、ＨＡＲＱ−ＡＣＫ（Hybrid  Automatic  Repeat  reQuest  ACKnowledgement）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１８９】
なお、本開示において下りリンク、上りリンクなどは「リンク」を付けずに表現されてもよい。また、各種チャネルの先頭に「物理（Physical）」を付けずに表現されてもよい。
【０１９０】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１９１】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１９２】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１９３】
（基地局）
図１６は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１９４】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１９５】
制御部１１０は、基地局１０全体の制御を実施する。制御部１１０は、本開示に係る技術分野での共通認識に基づいて説明されるコントローラ、制御回路などから構成することができる。
【０１９６】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１９７】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１９８】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１９９】
送受信アンテナ１３０は、本開示に係る技術分野での共通認識に基づいて説明されるアンテナ、例えばアレイアンテナなどから構成することができる。
【０２００】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０２０１】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０２０２】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０２０３】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０２０４】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０２０５】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０２０６】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２０７】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０２０８】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０２０９】
なお、本開示における基地局１０の送信部及び受信部は、送受信部１２０、送受信アンテナ１３０及び伝送路インターフェース１４０の少なくとも１つによって構成されてもよい。
【０２１０】
なお、送受信部１２０は、複数のパネルを用いて、複数のＡＰ  ＣＳＩ−ＲＳをユーザ端末２０に対して送信してもよい。また、複数の基地局１０の送受信部１２０が、複数のＡＰ  ＣＳＩ−ＲＳをユーザ端末２０に対して送信してもよい。
【０２１１】
制御部１１０は、各ＡＰ  ＣＳＩ−ＲＳについて、対応する下り制御情報（ＤＣＩ）の受信と当該ＡＰ  ＣＳＩ−ＲＳの受信との間の時間オフセットが所定の閾値より小さい場合に、当該ＡＰ  ＣＳＩ−ＲＳを、所定のパネルＩＤ（Identifier）の特定の信号又はチャネルとＱＣＬになるように、送信処理を行ってもよい。
【０２１２】
なお、上記所定のパネルＩＤは、最小又は最大のパネルＩＤであってもよい。上記所定のパネルＩＤは、対応する関連パネルＩＤ（例えば、ＡＰ  ＣＳＩ−ＲＳのために用いられる基地局１０のパネルＩＤ）であってもよい。
【０２１３】
（ユーザ端末）
図１７は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０２１４】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０２１５】
制御部２１０は、ユーザ端末２０全体の制御を実施する。制御部２１０は、本開示に係る技術分野での共通認識に基づいて説明されるコントローラ、制御回路などから構成することができる。
【０２１６】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０２１７】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０２１８】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０２１９】
送受信アンテナ２３０は、本開示に係る技術分野での共通認識に基づいて説明されるアンテナ、例えばアレイアンテナなどから構成することができる。
【０２２０】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０２２１】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０２２２】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０２２３】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０２２４】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０２２５】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０２２６】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０２２７】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２２８】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０２２９】
なお、本開示におけるユーザ端末２０の送信部及び受信部は、送受信部２２０、送受信アンテナ２３０及び伝送路インターフェース２４０の少なくとも１つによって構成されてもよい。
【０２３０】
なお、送受信部２２０は、複数の非周期チャネル状態情報参照信号（ＡＰ  ＣＳＩ−ＲＳ：Aperiodic  Channel  State  Information-Reference  Signal）を受信してもよい。当該複数のＡＰ  ＣＳＩ−ＲＳは、それぞれ別々のＴＲＰ（別々の基地局１０）から送信されてもよいし、それぞれ別々のパネルから送信されてもよい。
【０２３１】
制御部２１０は、各ＡＰ  ＣＳＩ−ＲＳについて、対応する下り制御情報（ＤＣＩ）の受信と当該ＡＰ  ＣＳＩ−ＲＳの受信との間の時間オフセットが所定の閾値より小さい場合に、当該ＡＰ  ＣＳＩ−ＲＳのデフォルトのＱＣＬ想定を、所定のパネルＩＤ（Identifier）の特定の信号又はチャネルに基づいて決定してもよい。制御部２１０は、当該想定に基づいて、当該ＡＰ  ＣＳＩ−ＲＳの受信処理を行ってもよい。
【０２３２】
なお、上記所定のパネルＩＤは、最小又は最大のパネルＩＤであってもよい。上記所定のパネルＩＤは、対応する関連パネルＩＤ（例えば、ＡＰ  ＣＳＩ−ＲＳのために用いられる基地局１０のパネルＩＤ）であってもよい。上記所定のパネルＩＤが対応する関連パネルＩＤである場合には、上記複数のＡＰ  ＣＳＩ−ＲＳは、それぞれ別々のＴＲＰから送信されると想定されてもよい。
【０２３３】
制御部２１０は、前記所定のパネルＩＤの前記ＡＰ  ＣＳＩ−ＲＳと同じシンボルにおいてＰＤＳＣＨが送信されず他の下り信号が送信される場合に、前記ＡＰ  ＣＳＩ−ＲＳのデフォルトのＱＣＬ想定を、前記所定のパネルＩＤの当該他の下り信号に基づいて決定してもよい。
【０２３４】
制御部２１０は、前記ＡＰ  ＣＳＩ−ＲＳのデフォルトのＱＣＬ想定を、前記ＡＰ  ＣＳＩ−ＲＳをスケジューリングする前記下り制御情報を受信するＣＯＲＥＳＥＴ（COntrol  REsource  SET）に基づいて決定してもよい。
【０２３５】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２３６】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２３７】
例えば、本開示の一実施形態における基地局、ユーザ端末などは、本開示の無線通信方法の処理を行うコンピュータとして機能してもよい。図１８は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２３８】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２３９】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２４０】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２４１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０２４２】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２４３】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２４４】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２４５】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２４６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２４７】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２４８】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２４９】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２５０】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２５１】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２５２】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０２５３】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２５４】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２５５】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２５６】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２５７】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２５８】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２５９】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２６０】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２６１】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２６２】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２６３】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２６４】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２６５】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２６６】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２６７】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２６８】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２６９】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２７０】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２７１】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２７２】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２７３】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２７４】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２７５】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２７６】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２７７】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２７８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２７９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２８０】
本開示において使用する「システム」及び「ネットワーク」という用語は、互換的に使用され得る。「ネットワーク」は、ネットワークに含まれる装置（例えば、基地局）のことを意味してもよい。
【０２８１】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２８２】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２８３】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２８４】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２８５】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２８６】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２８７】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２８８】
同様に、本開示におけるユーザ端末は、基地局で読み替えてもよい。この場合、上述のユーザ端末２０が有する機能を基地局１０が有する構成としてもよい。
【０２８９】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２９０】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２９１】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２９２】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２９３】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２９４】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２９５】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２９６】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２９７】
また、「判断（決定）」は、「想定する（assuming）」、「期待する（expecting）」、「みなす（considering）」などで読み替えられてもよい。
【０２９８】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２９９】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３００】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３０１】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３０２】
本開示において、例えば、英語でのa,  an及びtheのように、翻訳によって冠詞が追加された場合、本開示は、これらの冠詞の後に続く名詞が複数形であることを含んでもよい。
【０３０３】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020090060.tif 000003
【図２】
2020090060.tif 000004
【図３】
2020090060.tif 000005
【図４】
2020090060.tif 000006
【図５】
2020090060.tif 000007
【図６】
2020090060.tif 000008
【図７】
2020090060.tif 000009
【図８】
2020090060.tif 000010
【図９】
2020090060.tif 000011
【図１０】
2020090060.tif 000012
【図１１】
2020090060.tif 000013
【図１２】
2020090060.tif 000014
【図１３】
2020090060.tif 000015
【図１４】
2020090060.tif 000016
【図１５】
2020090060.tif 000017
【図１６】
2020090060.tif 000018
【図１７】
2020090060.tif 000019
【図１８】
2020090060.tif 000020
【国際調査報告】
2020090060.tif 000021
2020090060.tif 000022
2020090060.tif 000023
2020090060.tif 000024